(57)【要約】【課題】タッチパネル自体が防水性を備えていなくても防水性を確保することができ、しかも、操作感が良好であるタッチパネルの取付構造を提供する。【解決手段】凹部１５が設けられている筐体５と、液晶パネル１７とこの液晶パネルの画像表示面１９を覆うように液晶パネルに設けられたタッチパネル２１とを備えて構成されており筐体の凹部内に設置されている液晶パネル・タッチパネル組立体と、液晶パネル・タッチパネル組立体が内部に設置された凹部の開口部を塞いでいる保護シートと、筐体の凹部に設置された液晶パネル・タッチパネル組立体を凹部の開口部側に向かう方向に付勢する付勢手段と、付勢手段で付勢されている液晶パネル・タッチパネル組立体を付勢手段による付勢に対抗して係止する係止手段とを有する。【選択図】図７
2011215867.tif 000002
【特許請求の範囲】
【請求項１】
凹部が設けられている筐体と、
液晶パネルと、この液晶パネルの画像表示面を覆うように前記液晶パネルに設けられたタッチパネルとを備えて構成されており、前記筐体の凹部内に設置されている液晶パネル・タッチパネル組立体と、
前記液晶パネル・タッチパネル組立体が内部に設置された凹部の開口部を塞いでいる保護シートと、
を有することを特徴とするタッチパネルの取付構造。
【請求項２】
請求項１に記載のタッチパネルの取付構造において、
前記筐体の凹部に設置された液晶パネル・タッチパネル組立体を、前記凹部の開口部側に向かう方向、または、前記凹部の底側に向かう方向に付勢する付勢手段と、
前記付勢手段で付勢されている液晶パネル・タッチパネル組立体を、前記付勢手段による付勢に対抗して係止する係止手段と、
を有することを特徴とするタッチパネルの取付構造。
【請求項３】
請求項１に記載のタッチパネルの取付構造において、
前記液晶パネル・タッチパネル組立体に設けられ、または、前記筐体に設置された基板に設けられ、または、前記筐体に設けられ、前記筐体の凹部に設置された液晶パネル・タッチパネル組立体を前記凹部の開口部側に向かう方向に付勢する弾性体と、
前記液晶パネル・タッチパネル組立体に設けられている係止片と、
前記筐体に設けられ、前記液晶パネル・タッチパネル組立体を前記筐体の凹部に設置する途中の状態では弾性変形し、前記液晶パネル・タッチパネル組立体を前記筐体の凹部に設置し終えたときに復元して前記係止片と係合し、前記弾性体と協働して前記液晶パネル・タッチパネル組立体を挟み込み、前記液晶パネル・タッチパネル組立体を位置決めする被係止片と、
を有することを特徴とするタッチパネルの取付構造。
【請求項４】
請求項３に記載のタッチパネルの取付構造において、
前記液晶パネル・タッチパネル組立体には、前記タッチパネルが非存在である部位が形成されており、
前記筐体の凹部における開口部の縁の一部には、凸部が形成されており、
前記液晶パネル・タッチパネル組立体を前記筐体の凹部に設置し終えた状態では、前記タッチパネルが非存在である部位の一部が前記凸部に当接する構成であることを特徴とするタッチパネルの取付構造。
【請求項５】
請求項１〜請求項４のいずれか１項に記載のタッチパネルの取付構造を有することを特徴とする電子機器。
【発明の詳細な説明】
【技術分野】
【０００１】
本発明は、タッチパネルの取付構造および電子機器に係り、特に、タッチパネル組立体を保護シートで覆っているものに関する。
【背景技術】
【０００２】
従来、筐体（意匠パネル）と、液晶パネルと抵抗膜方式のタッチパネルとの組立体とを備えて構成されている情報端末が知られている。
【０００３】
従来の情報端末におけるタッチパネルの取付構造では、筐体の裏面から組立体を取り付けている。ここで、情報端末の仕様によっては、組立体が防水されている場合がある。
【０００４】
タッチパネルが最表面に露出している防水仕様の情報端末では、タッチパネルの表面が防水されていることを要する。
【０００５】
なお、上記従来の技術に関連する特許文献として、たとえば、特許文献１、特許文献２を掲げることができる。
【先行技術文献】
【特許文献】
【０００６】
【特許文献１】特開平１０−２０７６３０号公報
【特許文献２】特開２００２−７３２７７号公報
【発明の概要】
【発明が解決しようとする課題】
【０００７】
ところで、上述した従来の情報端末において、それ自体が防水されているタッチパネルを使用するとなると、タッチパネルの選定範囲が狭まって、防水以外の他に要求される仕様を満足できなくなる場合が発生するだけでなく、タッチパネルのコストが上昇してしまう。
【０００８】
また、組立体を筐体の裏面から取り付ける構成であると、タッチパネルの最表面と筐体との間に段差ができてしまう。最近のデザインの流行からすると、段差によって、古さを感じてしまうという問題がある。
【０００９】
本発明は、上記問題点に鑑みてなされたものであり、タッチパネル自体が防水性を備えていなくても防水性を確保することができ、しかも、フラットフェースデザインを実現するタッチパネルの取付構造および電子機器を提供することを目的とする。
【課題を解決するための手段】
【００１０】
第１の発明は、凹部（１５）が設けられている筐体（５）と、液晶パネル（１７）と、この液晶パネルの画像表示面（１９）を覆うように前記液晶パネルに設けられたタッチパネル（２１）とを備えて構成されており、前記筐体の凹部内に設置されている液晶パネル・タッチパネル組立体（７）と、前記液晶パネル・タッチパネル組立体が内部に設置された凹部の開口部を塞いでいる保護シート（９）とを有するタッチパネルの取付構造（１）である。
【００１１】
第２の発明は、第１の発明に記載のタッチパネルの取付構造（１）において、前記筐体の凹部に設置された液晶パネル・タッチパネル組立体を、前記凹部の開口部側に向かう方向、または、前記凹部の底側に向かう方向に付勢する付勢手段（１１）と、前記付勢手段で付勢されている液晶パネル・タッチパネル組立体を、前記付勢手段による付勢に対抗して係止する係止手段（１３）とを有するタッチパネルの取付構造（１）である。
【００１２】
第３の発明は、第１の発明に記載のタッチパネルの取付構造（１）において、前記液晶パネル・タッチパネル組立体に設けられ、または、前記筐体に設置された基板に設けられ、または、前記筐体に設けられ、前記筐体の凹部に設置された液晶パネル・タッチパネル組立体を前記凹部の開口部側に向かう方向に付勢する弾性体（２５）と、前記液晶パネル・タッチパネル組立体に設けられている係止片（３３）と、前記筐体に設けられ、前記液晶パネル・タッチパネル組立体を前記筐体の凹部に設置する途中の状態では弾性変形し、前記液晶パネル・タッチパネル組立体を前記筐体の凹部に設置し終えたときに復元して前記係止片と係合し、前記弾性体と協働して前記液晶パネル・タッチパネル組立体を挟み込み、前記液晶パネル・タッチパネル組立体を位置決めする被係止片（３５）とを有するタッチパネルの取付構造である。
【００１３】
第４の発明は、第３の発明に記載のタッチパネルの取付構造において、前記液晶パネル・タッチパネル組立体には、前記タッチパネルが非存在である部位（３９）が形成されており、前記筐体の凹部における開口部の縁の一部には、凸部（４５）が形成されており、前記液晶パネル・タッチパネル組立体を前記筐体の凹部に設置し終えた状態では、前記タッチパネルが非存在である部位の一部が前記凸部に当接する構成であるタッチパネルの取付構造である。
【００１４】
第５の発明は、第１〜第４のいずれかに記載のタッチパネルの取付構造を有する電子機器（３）である。
【発明の効果】
【００１５】
本発明によれば、タッチパネル自体が防水性を備えていなくても防水性を確保することができ、しかも、フラットフェースデザインを実現するタッチパネルの取付構造および電子機器を提供することができるという効果を奏する。
【図面の簡単な説明】
【００１６】
【図１】本発明の実施形態に係るタッチパネルの取付構造が採用されている情報端末の概略構成を示す斜視図である。
【図２】情報端末の分解斜視図である。
【図３】図２におけるＩＩＩ部の拡大図である。
【図４】筐体の平面図である。
【図５】係止手段を構成している被係止片の概略構成を示す断面図斜視図である。
【図６】図２に示す筐体をＶＩ方向から見たときの部分斜視図である。
【図７】図１におけるＶＩＩ−ＶＩＩ断面図である。
【図８】液晶パネル・タッチパネル組立体の概略構成を示す図である。
【図９】筐体に液晶パネル・タッチパネル組立体を組み付ける手順を示す図である。
【図１０】筐体に液晶パネル・タッチパネル組立体を組み付ける手順を示す図である。
【図１１】図１におけるＸＩ−Ｏ１−Ｏ２−ＸＩ断面を示す図である。
【図１２】弾性体の設置における変形例を示す図である。
【図１３】弾性体の設置における変形例を示す図である。
【発明を実施するための形態】
【００１７】
図１は、本発明の実施形態に係るタッチパネルの取付構造１が採用されている情報端末３の概略構成を示す斜視図であり、図２は、情報端末３の分解斜視図である。
【００１８】
図３は、図２におけるＩＩＩ部の拡大図であり、図４は、筐体５の平面図であり、図５は、係止手段１３を構成している被係止片３５の概略構成を示す断面図斜視図であり、図６は、図２に示す筐体５をＶＩ方向から見たときの部分斜視図である。
【００１９】
図７は、図１におけるＶＩＩ−ＶＩＩ断面図であり、図８は、液晶パネル・タッチパネル組立体７の概略構成を示す図であり、図８（ａ）は、液晶パネル・タッチパネル組立体７の平面図であり、図８（ｂ）は、液晶パネル・タッチパネル組立体７の側面図であり、図８（ｃ）は、図８（ｂ）におけるＶＩＩＩ部の拡大図である。
【００２０】
図９、図１０は、筐体５に液晶パネル・タッチパネル組立体７を組み付ける手順を示す図であり、図１１は、図１におけるＸＩ−Ｏ１−Ｏ２−ＸＩ断面を示す図である。
【００２１】
なお、以下、本明細書では、情報端末３を例に掲げて説明するが、情報端末以外の電子機器（たとえば、携帯電話や携帯型音楽プレーヤ等の携帯型電子機器）にも、タッチパネルの取付構造１を採用することができる。
【００２２】
情報端末３は（タッチパネルの取付構造１では）、図２等で示すように、筐体５と液晶パネル・タッチパネル組立体７と保護シート９と付勢手段１１と係止手段１３とを備えて構成されている。
【００２３】
図７、図１０（ｂ）、図１１等で示すように、筐体５には凹部１５が設けられている。液晶パネル・タッチパネル組立体７は、液晶パネル（たとえば、非防水性の液晶パネル）１７と、この液晶パネル１７の画像表示面１９を覆うように液晶パネル１７に一体的に設けられたタッチパネル（たとえば、非防水性のタッチパネル）２１とを備えて構成されている。また、液晶パネル・タッチパネル組立体７は、筐体５の凹部１５内に設置されている。
【００２４】
保護シート９は、筐体５に一体的に設置されて、液晶パネル・タッチパネル組立体７が内部に設置された凹部１５の開口部を塞いでいる。
【００２５】
付勢手段１１は、筐体５の凹部１５に設置された液晶パネル・タッチパネル組立体７を、情報端末３のおもて側（凹部１５の深さ方向であって凹部１５の開口部側に向かう方向；図７の上方向）に付勢する手段である。
【００２６】
係止手段１３は、筐体５の凹部１５内に設置され付勢手段１１で付勢されている液晶パネル・タッチパネル組立体７を、付勢手段１１による付勢に対抗して係止する手段である。
【００２７】
係止手段１３によって係止されることにより、付勢手段１１によって付勢されているにもかかわらず、液晶パネル・タッチパネル組立体７の移動（図７の上方向への移動）が規制されて位置決めされるようになっている。
【００２８】
すなわち、係止手段１３による係止が無ければ、付勢手段１１による付勢がなくなるまで、液晶パネル・タッチパネル組立体７が付勢されて移動してしまう。しかし、係止手段１３による係止がされているので、付勢手段１１による付勢がされていても、筐体５の厚さ方向における液晶パネル・タッチパネル組立体７の位置が定まるようになっている。
【００２９】
そして、図７等で示すように、保護シート９と液晶パネル・タッチパネル組立体７と間隙２３の値Ｔ１が、液晶パネル・タッチパネル組立体７の厚さＴ２の公差にかかわらず、ほぼ一定の値になる。液晶パネル・タッチパネル組立体７の位置が定まっている状態では、付勢手段１１を構成している弾性体（たとえば、スポンジ、ゴムで構成された弾性体）２５が弾性変形している。
【００３０】
なお、前述したように、付勢手段１１で液晶パネル・タッチパネル組立体７を凹部１５の開口部側（おもて側）に付勢しており、液晶パネル・タッチパネル組立体７が筐体５のおもて側から筐体５の凹部内に設置されるようになっているが、この液晶パネル・タッチパネル組立体７の設置が係止手段１３によって阻害されないようになっている。すなわち、係止手段１３が設けられていても、詳しくは後述する被係止片３５の弾性変形により、液晶パネル・タッチパネル組立体７を筐体５のおもて側から筐体５の凹部１５内に容易に設置することができるようになっている。
【００３１】
筐体５は、図２、図４、図１０（ａ）、（ｂ）等で示すように、たとえば樹脂等の材料で射出成型によって一体成型されており、所定の厚さを備えたほぼ矩形な平板状に形成されている。凹部１５は、所定の深さＴ３で矩形状に形成されており、筐体５のおもて側で筐体５のほぼ中央部に設けられている。
【００３２】
凹部１５の深さＴ３の値は、筐体５の厚さの値よりも小さくなっており、凹部１５の縦方向の寸法は、筐体５の縦方向の寸法よりも小さくなっており、凹部１５の横方向の寸法は、筐体５の横方向の寸法よりも僅かに小さくなっている。
【００３３】
そして、筐体５の厚さ方向と凹部１５の深さ方向とがお互いに一致し、筐体５の縦方向と凹部１５の縦方向とがお互いに一致し、筐体５の横方向と凹部１５の横方向とがお互いに一致するようにして、凹部１５が、筐体５の厚さ方向の一方の面（おもて面）側に設けられている。
【００３４】
また、図１や図２や図４で示すように、凹部１５は、横方向では筐体５の中央部に設けられており、縦方向では筐体５の一方の辺から僅かに離れ筐体５の一方の側に偏って設けられている。
【００３５】
筐体５の縦方向の他方の側には、押し下げスッイッチ等を設置するための矩形状のスッイッチ等設置領域２７が凹部１５から僅かに離れて形成されている。そして、筐体５の厚さ方向の一方の面における凹部１５の周辺には、幅の狭い平坦な「ロ」字状の平面２９が形成されている。
【００３６】
液晶パネル１７やタッチパネルのタッチパネル２１は、図８等で示すように、たとえば、矩形な平板状に形成されており、タッチパネル２１は、両面テープや接着剤等を用いて液晶パネル１７に一体的に設けられている。タッチパネル２１として、大型のものを安価に得ることができることにより、たとえば、抵抗膜方式のタッチパネルが使用されるが、静電膜方式のタッチパネルを使用してもよい。
【００３７】
液晶パネル１７とタッチパネルのタッチパネル２１とを備えて構成されている液晶パネル・タッチパネル組立体７も、図８等で示すように、矩形な平板状に形成されている。液晶パネル・タッチパネル組立体７の厚さＴ２（図１１参照）の値は、凹部１５の深さＴ３（図１０（ａ）参照）の値よりも小さくなっている。液晶パネル・タッチパネル組立体７の横方向の寸法は、凹部１５の横方向の寸法と等しいかごく僅かに小さくなっている。液晶パネル・タッチパネル組立体７の縦方向の寸法は、凹部１５の縦方向の寸法と等しいかごく僅かに小さくなっている。
【００３８】
そして、凹部１５の深さ方向と液晶パネル・タッチパネル組立体７の厚さ方向とがお互いに一致し、凹部１５の横方向と液晶パネル・タッチパネル組立体７の横方向とがお互いに一致し、凹部１５の縦方向と液晶パネル・タッチパネル組立体７の縦方向とがお互いに一致するようにして、液晶パネル・タッチパネル組立体７が凹部１５内に設置されている。
【００３９】
なお、筐体５の凹部１５内に設置されている液晶パネル１７の画像表示面１９やタッチパネル２１は、視認や操作が可能なように筐体５のおもて面側（厚さ方向の一方の側）に位置している。また、凹部１５に設置された液晶パネル・タッチパネル組立体７は、凹部１５の縦方向および横方向では、筐体５に対する移動が規制されており、ほぼ移動できないようになっている。
【００４０】
保護シート９は、図１や図２等で示すように、たとえば、ＰＥＴ樹脂等の適度の弾性を備えた透明な部材で構成されており、矩形な薄い板状に形成されている。保護シート９の横方向の寸法は、凹部１５の横方向の寸法よりも僅かに大きくなっており、たとえば「ロ」字状平面２９の横方向の横寸法と等しくなっている。保護シート９の縦方向の寸法も、凹部１５の縦方向の寸法よりも僅かに大きくなっており、たとえば「ロ」字状平面２９の縦方向の横寸法と等しくなっている。
【００４１】
そして、「ロ」字状の平面２９の全面に薄く設けられた接着部材もしくは粘着部材（たとえば、両面粘着テープ；防水使用の両面粘着テープであることが望ましい）３１によって、保護シート９が平板状になって凹部１５の矩形状の開口面（開口部）を塞いでいる。この状態を筐体５の厚さ方向から見ると、「ロ」字状平面２９の矩形な縁と矩形な保護シート９の縁とがお互いに重なっている。
【００４２】
また、液晶パネル・タッチパネル組立体７は、保護シート９で防水されている。すなわち、保護シート９と「ロ」字状平面２９との間の隙間が粘着テープ３１でふさがれており、凹部１５の外部から凹部１５の内部に、水等が浸入しないようになっている（図７等を参照）。
【００４３】
なお、保護シート９の縁とこの近傍のロ字状の部位（図２に斜線で示す部位であって、たとえば、両面テープ（両面粘着テープ）３１と重なる部位）には、遮光性を備えた材料がたとえば印刷によって設けられている。これにより、情報端末３では、両面テープ３１が隠れている。
【００４４】
付勢手段１１を構成している弾性体（クッション部材）２５は、スポンジ、ゴム、軟性の合成樹脂等で構成されている。また、弾性体２５は、筐体５に一体的に設けられているが、弾性体２５が液晶パネル・タッチパネル組立体７に一体的に設けられていてもよい。そして、弾性体２５が、筐体５の凹部１５に設置された液晶パネル・タッチパネル組立体７を、凹部１５の深さ方向であって凹部１５の開口部側に向かう方向（おもて側）に付勢している（図７等を参照）。
【００４５】
係止手段１３は、たとえば、液晶パネル・タッチパネル組立体７に設けられている係止片３３と、筐体５に設けられた被係止片３５とを備えて構成されている（図７等を参照）。
【００４６】
被係止片３５は、液晶パネル・タッチパネル組立体７を筐体５のおもて側から筐体５の凹部１５内に設置する途中の状態で係止片３３と係合して弾性変形するようになっている。また、被係止片３５は、液晶パネル・タッチパネル組立体７を筐体５の凹部１５内に設置し終えたときに復元して係止片３３と係合するようになっている（図１０等を参照）。
【００４７】
そして、被係止片３５が復元し係止片３３と被係止片３５とが係合して液晶パネル・タッチパネル組立体７が筐体５に係止され、液晶パネル・タッチパネル組立体７のおもて側への移動が規制されるようになっている。さらに、お互いが係合した係止片３３と被係止片３５とが、弾性体２５と協働して液晶パネル・タッチパネル組立体７を挟み込み（凹部１５の深さ方向で挟み込み；液晶パネル・タッチパネル組立体７の厚さ方向で挟み込み）液晶パネル・タッチパネル組立体７を凹部１５の深さ方向で位置決めするようになっている。このとき、液晶パネル・タッチパネル組立体７に接触している弾性体２５は、液晶パネル・タッチパネル組立体７によって凹部１５の底側に押されて弾性変形している（図１０（ａ）、（ｂ）を参照）。
【００４８】
なお、弾性体２５で付勢され係止片３３と被係止片３５とがお互いに係合している状態での液晶パネル・タッチパネル組立体７は、図７や図１０（ａ）での上方向の外力（液晶パネル・タッチパネル組立体７をおもて側に向かわせる外力）を受けた場合には、上記おもて側方向には移動できないが、裏側方向（液晶パネル・タッチパネル組立体７を凹部１５の底側に向かわせる外力；タッチパネル２１を押圧する方向の力）を受けた場合には、僅かに移動できるようになっている。この場合、弾性体２５がさらに弾性変形するようになっている。
【００４９】
また、筐体５の厚さ方向において、「ロ」字状の平面２９と、弾性体２５で付勢され係止片３３と被係止片３５との係合によって位置決めされている液晶パネル・タッチパネル組立体７（タッチパネル２１の押圧面）とは、同一平面状に存在しているのではなく、タッチパネル２１の押圧面が、「ロ」字状の平面２９から僅かに凹んでいる。すなわち、筐体５の厚さ方向において、タッチパネル２１の押圧面が、「ロ」字状の平面２９よりも、凹部１５の底面側に位置している（図７等を参照）。
【００５０】
これより、保護シート９と液晶パネル・タッチパネル組立体７の間にごく僅かな平板状の隙間２３（間隙Ｔ１）が形成されている。そして、タッチパネル２１を押圧すべく保護シート９を押したときに保護シート９が僅かに弾性変形し、保護シート９でタッチパネル２１が押圧されるようになっている。
【００５１】
ところで、図８等で示すように、液晶パネル１７の画像表示面１９側の面の一部がタッチパネル２１で覆われていないことによって、液晶パネル・タッチパネル組立体７には、タッチパネル２１が非存在である部位３９が形成されている。すなわち、液晶パネル・タッチパネル組立体７のおもて側の面の一部に、タッチパネル２１が非存在である部位３９が形成されている。
【００５２】
さらにくわしく説明すると、液晶パネル１７やタッチパネル２１は、前述した矩形な平板状に形成されている。液晶パネル１７の縦方向の寸法は、タッチパネル２１の縦方向の寸法とほぼ等しくなっている。液晶パネル１７の横方向の寸法は、タッチパネル２１の横方向の寸法よりも僅かに大きくなっている。
【００５３】
そして、液晶パネル１７の厚さ方向とタッチパネル２１の厚さ方向とがお互いに一致し、液晶パネル１７の縦方向とタッチパネル２１の縦方向とがお互いに一致し、液晶パネル１７の横方向とタッチパネル２１の横方向とがお互いに一致するようにして、矩形な平板状のガラス板（厚さ方向が液晶パネル・タッチパネル組立体７の厚さ方向と一致しているガラス板）３７を間に挟んでいる形態で、タッチパネル２１が液晶パネル１７に一体的に設けられている。
【００５４】
なお、ガラス板３７の縦寸法、横寸法は、タッチパネル２１の縦寸法、横寸法と等しくなっており、タッチパネル２１の厚さ方向から見ると、タッチパネルの縦方向の両端部に位置する辺と、ガラス板３７の縦方向の両端部に位置する辺とがお互いに重なっており、タッチパネル２１の横方向の両端部に位置する辺と、ガラス板３７の横方向の両端部に位置する辺とがお互いに重なっている。
【００５５】
また、液晶パネル・タッチパネル組立体７の縦方向では、液晶パネル１７とタッチパネル２１とがお互いに重なっており、横方向では、タッチパネル２１が一方の側に位置している。すなわち、液晶パネル・タッチパネル組立体７の厚さ方向から見ると、液晶パネル１７の縦方向の両端部に位置する辺と、タッチパネル２１の縦方向の両端部に位置する辺とがお互いに重なっている。また、タッチパネル２１の横方向の一端部に位置する辺が液晶パネル１７の横方向の一端部に位置する辺から僅かに離れている。なお、液晶パネル１７の横方向の他端部に位置する辺と、タッチパネル２１の横方向の他端部に位置する辺とはお互いが重なっている。
【００５６】
これにより、液晶パネル・タッチパネル組立体７の横方向の一方の側には、タッチパネル２１が非存在である部位３９が形成されている。すなわち、液晶パネル１７の厚さ方向の一方の面（画像表示面１９側の面）の一部に、タッチパネル２１が重なっていない面（液晶パネル１７の厚さ方向の一方の面の一部で形成された縦方向に細長い矩形状の平面）４１が形成されている。また、タッチパネル２１の横方向の一端部と液晶パネル１７とで段差４３が形成されている。
【００５７】
筐体５の凹部１５における開口部の縁の一部には、図４や図６等で示すように、凸部４５が形成されている。凸部４５は、たとえば、筐体５の縦方向、横方向の一方の側（矩形状の凹部１５の角部）で凹部１５の中央側に小さく突出しており、液晶パネル・タッチパネル組立体７の、タッチパネル２１が非存在である部位３９の一部に当接するようになっている。
【００５８】
詳しく説明すると、凸部４５は、たとえば小さな直方体状に形成されている。そして、筐体５の厚さ方向から見たときに、凸部４５は凹部１５の１つの角部に設けられている。また、筐体５の厚さ方向では、凸部４５の下面（凹部１５の底面と平行に対向している面）４７と、凹部１５の底面（底部）との間の距離は、液晶パネル１７の厚さよりもごく僅かに大きくなっている。また、凸部４５の上面は、「ロ」字状の平面２９と同じ平面上に存在している。
【００５９】
そして、液晶パネル・タッチパネル組立体７を筐体５の凹部１５に設置し終えた状態では、図１１等で示すように、付勢手段１１で付勢されることによって、タッチパネル２１が非存在である部位３９の一部が凸部４５に当接している。これにより、凸部４５は、係止手段１３の一部を構成していることになる。
【００６０】
ここで、液晶パネル１７についてさらに詳しく説明する。
【００６１】
液晶パネル１７は、図７や図８等で示すように、例えば矩形な薄い板状に形成されている液晶パネル本体４９と、この液晶パネル本体４９を覆っているベゼル５１，５３とを備えて構成されている。
【００６２】
液晶パネル本体４９は、僅かな間隙を隔ててお互いが対向している一対の平板状のガラス板（図示せず）と、この一対のガラス板の間隙に設けられている液晶材（図示せず）と、一対のガラス板の一方の側（画像を表示する側）に設けられたフィルタ（図示せず）と、一対のガラス板の他方の側に設けられたバックライト装置（図示せず）とを備えて構成されている。
【００６３】
ベゼル５１，５３は、液晶パネル本体４９のバックライト装置側を覆っている裏側ベゼル５１と、液晶パネル本体４９の画像表示面１９側を覆っているおもて側ベゼル５３とで構成されている。
【００６４】
裏側ベゼル５１は、たとえば、薄い金属板を適宜切断して折り曲げることにより矩形な枡状に形成されている。裏側ベゼル５１の縦方向でお互いが対向している一対の側壁部での内面間の距離は、液晶パネル本体４９の縦方向の寸法と等しいか僅かに大きくなっている。裏側ベゼル５１の横方向でお互いが対向している一対の側壁部５５での内面間の距離は、液晶パネル本体４９の横方向の寸法と等しいか僅かに大きくなっている。裏側ベゼル５１の深さは、液晶パネル本体４９の厚さと等しいか僅かに小さくなっている。
【００６５】
おもて側ベゼル５３も、たとえば、薄い金属板を適宜切断して折り曲げることにより矩形な枡状に形成されている。おもて側ベゼル５３の縦方向でお互いが対向している一対の側壁部での内面間の距離は、おもて側ベゼル５３の縦方向の寸法と等しいか僅かに大きくなっている。おもて側ベゼル５３の横方向でお互いが対向している一対の側壁部５７での内面間の距離は、裏側ベゼル５１の横方向の寸法と等しいか僅かに大きくなっている。おもてベゼル５３の深さは、裏側ベゼル５１の高さ（厚さ）と同程度になっている。
【００６６】
また、おもて側ベゼル５３には、開口部（窓）５９と係止片３３とが設けられている。窓５９は、液晶パネル本体４９の画像表示面１９を露出させるためのものであり、矩形状に形成されている。係止片３３は、前述したように被係止片３５と協働して係止手段１３を構成するものである。
【００６７】
さらに説明すると、係止片３３は、おもて側ベゼル５３を製造すべく、薄い金属板を適宜切断したときに、おもて側ベゼル５３の側壁部５７と一体で、側壁部５７の先端（おもて側ベゼル５３の底壁部に接している端部とは反対側の端部）から突出して形成されている。また、おもて側ベゼル５３を枡状にすべく、適宜切断された薄い金属板を折り曲げるときには、側壁部５７と係止片３３との境界は、折り曲げられることはない。したがって、係止片３３と側壁部５７とはお互いが１つの平面上に位置している。
【００６８】
なお、係止片３３は、おもて側ベゼル５３の縦方向で一方の側（筐体５の凸部４５と係合する部位とが反対側）に位置している側壁部の中央（横方向における中央部）と、おもて側ベゼル５３の横方向で一方の側に位置している側壁部５７の中間部（縦方向における中間部）と、おもて側ベゼル５３の横方向で他方の側に位置している側壁部５７の中間部（縦方向における中間部）とに設けられていることによって、おもて側ベゼル５３の３箇所に設けられている（図８（ａ）を参照）。
【００６９】
各係止片３３は、同形状に形成されているので、ここでは、おもて側ベゼル５３の縦方向で一方の側に設けられている係止片３３について説明する。係止片３３は、小さい矩形な板状に形成されており、この中央部には、係止片３３よりもさらに小さな矩形状の貫通孔（薄板状の係止片をこの厚さ方向で貫通している孔）６１が形成されている（図８（ｂ）等を参照）。
【００７０】
なお、矩形状の係止片３３の３つの辺のうちのお互いが対向している一対の辺（側方の辺）は、枡状のおもて側ベゼル５３の底壁部（平板状の底壁部の厚さ方向における一方の面や他方の面）と直交しており、矩形状の係止片３３の３つの辺のうちの先端に位置している辺は、枡状のおもて側ベゼル５３の底壁部と平行になっている。
【００７１】
係止片３３の中央部に設けられている矩形状の貫通孔６１も同様にして、お互いが対向している一対の辺が、枡状のおもて側ベゼル５３の底壁部と直交しており、お互いが対向している他の一対の辺が、枡状のおもて側ベゼル５３の底壁部と平行になっている。
【００７２】
また、おもて側ベゼル５３の底壁部と、おもて側ベゼル５３の係止片３３に設けられている矩形状の貫通孔６１との間の距離（より精確には、おもて側ベゼル５３の底壁部の厚さ方向で一方の側に位置している面であって側壁部５７が起立している側の面と、矩形状の貫通孔６１の上記他の一対の辺のうちで、おもて側ベゼル５３の底壁部から離れているほうの辺との間の距離）Ｔ４（図８（ｃ）参照）は、３つの係止片３３（３つの貫通孔６１）において、設計上は同寸法になっている。
【００７３】
そして、おもて側ベゼル５３は、部品点数が少ない簡素な構成であって嵌合等の無い簡素な工程を経て製造されるので、上記３つの距離Ｔ４の公差を小さくすることは容易である。たとえば、上記３つの距離Ｔ４の公差を±０．１ｍｍよりも小さくすることは容易になる。
【００７４】
次に、液晶パネル１７を得るための液晶パネル本体４９と裏側ベゼル５１とおもて側ベゼル５３との組み付け手順について説明する。
【００７５】
まず、お互いの縦方向と横方向と厚さ方向とが一致し、画像表示面１９がおもて側になるようにして、裏側ベゼル５１内に液晶パネル本体４９を設置する。
【００７６】
続いて、お互いの縦方向と横方向と厚さ方向とが一致し、液晶パネル本体４９の画像表示面１９が窓５９から覗けるように、裏側ベゼル５１と液晶パネル本体４９とをおもて側ベゼル５３内に設置する。
【００７７】
続いて、カシメ等によって、おもて側ベゼル５３と裏側ベゼル５１とを一体化する。
【００７８】
これにより、液晶パネル本体４９と裏側ベゼル５１とおもて側ベゼル５３とが、がたつくことなく一体化される。また、各係止片３３は、液晶パネル１７の裏側（画像表示面１９とは反対側）に突出している。
【００７９】
次に、筐体５の凹部１５についてさらに詳しく説明する。
【００８０】
筐体５の凹部１５は、図４等で示すように、側壁部６３と、平面状の底面を構成する底壁部６５とを備えて構成されている。なお、底壁部６５の一部には貫通孔６７が形成されている。
【００８１】
被係止片３５は、液晶パネル・タッチパネル組立体７の係止片３３に対応して、凹部１５の側壁部６３に形成されている。すなわち、被係止片３５は、凹部１５の横方向でお互いが対向している２つの側壁部６３に形成されているとともに、凹部１５の縦方向でお互いが対向している２つの側壁部６３のうちの一方の側壁部６３に形成されている。これにより、被係止片は３つ形成されている。
【００８２】
各被係止片３５は、同形状に形成されているので、ここでは、凹部１５の横方向で一方の側に設けられている被係止片３５について説明する。被係止片３５は、図３等で示すように、一対のスリット６９の間に設けられている。一対のスリット６９は、お互いが僅かに離れて平行になり側壁部６３の起立方向（筐体５の凹部１５の深さ方向）に延びて側壁部６３に設けられている。また、被係止片３５の周辺における凹部１５の底壁部６５には、貫通孔７１が設けられている。これにより、被係止片３５は、凹部１５の開口部側を基端にして、先端部側が凹部１５の底側に延出している矩形な平板状の片持ち梁の形態になっている。そして、液晶パネル・タッチパネル組立体７を筐体５の凹部１５に設置するときに、係止片３３で押されて弾性変形するようになっている。
【００８３】
さらに、被係止片３５は、矩形な板状の本体部７３と、直方体状の被係止突起７５とを備えて構成されている。被係止突起７５は、凹部１５の中央部側に突出しており、１つの平面（裏側平面；凹部１５の最も底面側に位置している平面）７７が、凹部１５の底面と平行になっている（凹部１５の深さ方向と直交する方向に展開している）。
【００８４】
また、被係止突起７５には、斜面７９が形成されている。斜面７９は、凹部１５の深さ方向において、裏側平面７７とは反対側に設けられている。また、斜面７９は、凹部１５の底側に向かうほど、被係止突起７５の突出量が多くなるように傾斜している。
【００８５】
液晶パネル・タッチパネル組立体７を筐体５に設置し終えた状態では、弾性体２５が液晶パネル・タッチパネル組立体７をおもて側に付勢しているが、被係止突起７５が係止片３３の貫通孔６１に入り込み、被係止突起７５の平面７７が貫通孔６１の辺（係止片３３の最も先端側に位置している辺）に当接している。また、タッチパネル２１の非存在部位３９の一部が筐体５の凸部４５に当接している。これにより、液晶パネル・タッチパネル組立体７が係止され位置決めされている。
【００８６】
ところで、弾性体２５は、液晶パネル・タッチパネル組立体７を筐体５に設置したときに、液晶パネル・タッチパネル組立体７にモーメントが発生しないような位置に設けられている。たとえば、係止手段１３は、液晶パネル・タッチパネル組立体７周辺の４箇所（係止片３３と被係止片３５との係合部が３箇所、凸部４５とタッチパネル２１の被存在部位３９との係合部が１箇所）で、液晶パネル・タッチパネル組立体７を係止しているが、弾性体２５は、図４で示すように４箇所の係止箇所の近傍に設けられている。これにより、タッチパネル２１を押したとき、タッチパネル２１の全面でまんべんなくタッチパネル２１が反応するようになっている。
【００８７】
次に、情報端末３の組み付け手順について説明する。
【００８８】
初期状態として、液晶パネル・タッチパネル組立体７が完成しており、弾性体２５が筐体５に設置されており、筐体５に接着部材３１が設置されているものとする。
【００８９】
まず、図９で示すように、液晶パネル・タッチパネル組立体７を斜めにして、係止片３３が設けられていない側の端部（縦方向の一端部）を、凹部１５に挿入し、タッチパネル２１が非存在である部位３９も一端部を、凹部１５の底壁部６５と凸部４５との間に差し入れる。
【００９０】
続いて、液晶パネル・タッチパネル組立体７の反対側（凹部１５に未挿入の側）を凹部１５に挿入する（図１０（ａ）、（ｂ）を参照）。このとき、係止片３３が被係止片３５に当接して弾性変形する。
【００９１】
詳しく説明すると、係止片３３の先端が被係止片３５の被係止突起７５の斜面７９に当接して、被係止片３５の先端部側が、凹部１５の外方向に弾性変形する。
【００９２】
続いて、液晶パネル・タッチパネル組立体７の反対側を凹部１５にさらに挿入すると、係止片３３の貫通孔６１に被係止片３５の被係止突起７５が入り込み、被係止突起７５が復元し、液晶パネル・タッチパネル組立体７設置が終了する。
【００９３】
続いて、保護シート９を筐体５に設置して凹部１５を塞ぐ。
【００９４】
情報端末３によれば、液晶パネル・タッチパネル組立体７が内部に設置された凹部１５の開口部を保護シート９で塞いでいる。また、付勢手段１１と係止手段１３とで、液晶パネル・タッチパネル組立体７の位置が定まるので、保護シート９と液晶パネル・タッチパネル組立体７と間隙Ｔ１の値（「０」を含む）が、液晶パネル・タッチパネル組立体７の厚さＴ２の公差にかかわらず、ほぼ一定の値になる。たとえば、間隙Ｔ１の設計値を０．１ｍｍにすれば、液晶パネル・タッチパネル組立体７の厚さＴ２が公差により設計値に対して＋０．３ｍｍになっても−０．３ｍｍになっても、間隙Ｔ１の値が０．１ｍｍになる。
【００９５】
これにより、タッチパネル２１自体や液晶パネル１７自体が防水性を備えていなくても保護シート９により防水性を確保することができ、しかも、保護シート９と液晶パネル・タッチパネル組立体７との間隙Ｔ１を一定の値にすることができ、タッチパネル２１の操作感が良好になる。
【００９６】
また、筐体５の凹部１５の開口部が平面状の保護シート９で覆われているので、従来のもののように示すような段差２１２（図１４、図１５を参照）が発生することなく、いわゆるフラットフェースデザインを実現することができ、最近のデザインの流行に合致させることができる。
【００９７】
また、タッチパネル２１として、防水性を備えていないものを採用することができるので、タッチパネル２１の選択範囲が広くなり、コストを上昇させることなく、防水以外の他の要求仕様を満たすようにすることが容易になる。
【００９８】
また、情報端末３によれば、筐体５の凹部１５に設置された液晶パネル・タッチパネル組立体７を、凹部１５の開口部側に向かう方向に弾性体２５を用いて付勢しているので、タッチパネル２１を操作するとき（保護シート９を弾性変形させてタッチパネル２１を押圧するとき）に、タッチパネル２１を凹部１５の底側に押し込む力を弾性体２５で吸収することができる。そして、タッチパネル２１の操作感を向上させることができる。
【００９９】
また、液晶パネル・タッチパネル組立体７を筐体５に組み付けるときに、被係止片３５が弾性変形して組み付けが阻害されないので、組み付けが容易になる。
【０１００】
また、情報端末３によれば、液晶パネル・タッチパネル組立体７の一部（液晶パネル１７の一部）を、筐体５の凹部１５の凸部４５に係合させているので、その部位に、係止片３３や被係止片３５を設ける必要がなくなり、液晶パネル・タッチパネル組立体７や筐体５の構成が簡素化されているとともに設計の自由度が向上している。
【０１０１】
また、液晶パネル１７やタッチパネル２１に既製品（既に量産されている規格品）を用いることによって、凹部１５の開口部の縁の一部に形成されている凸部４５に当接するタッチパネル非存在部位３９が形成されるので、情報端末３の製造コストを低減することができる。
【０１０２】
ところで、図１２（ａ）等で示すように、凹部１５の底部（底壁部）６５に設けられている切り欠き（貫通孔）６７は、基板（液晶パネル１７やタッチパネル２１の制御回路が設けられている基板）８１で塞がれている。基板８１は筐体５に一体的に設置されている。そこで、基板８１に弾性体２５を設けた構成であってもよい。これにより、凹部１５の中央部寄りに、弾性体２５が設置される。
【０１０３】
図１２（ａ）は、基板８１に弾性体２５を設けた構成を示す斜視図である。図１２（ａ）では、弾性体２５としてパッキン８３を使用している。パッキン８３は導電性のチューブ８７のなかにスポンジ８５等を入れて構成されている。また、図１２（ａ）では、パッキン８３は、基板８１に設けられているシールドケース（金属製でグランドされているシールドケース）８９に設置されている。これより、液晶パネル・タッチパネル組立体７を効率良くグランドに導通させることができる。
【０１０４】
なお、図１３で示すように、弾性体２５としてバネ性の端子（たとえば金属で構成された片持ち梁状の弾性梁）９１を用いて液晶パネル・タッチパネル組立体７をおもて側に付勢してもよい。
【０１０５】
さらに、上記説明では、付勢手段１１で液晶パネル・タッチパネル組立体７をおもて側に付勢して、それを係止手段１３で係止して、液晶パネル・タッチパネル組立体７の係止位置決めをしているが、逆に、付勢手段１１で液晶パネル・タッチパネル組立体７を裏側に付勢して、それを係止手段１３で係止して、液晶パネル・タッチパネル組立体７の係止位置決めをする構成であってもよい。
【符号の説明】
【０１０６】
１  タッチパネルの取付構造
３  情報端末
５  筐体
７  液晶パネル・タッチパネル組立体
９  保護シート
１１  付勢手段
１３  係止手段
１５  凹部
１７  液晶パネル
１９  画像表示面
２１  タッチパネル
２５  弾性体
３３  係止片
３５  被係止片
３９  タッチパネル非存在部位
４５  凸部
【図１】
2011215867.tif 000003
【図２】
2011215867.tif 000004
【図３】
2011215867.tif 000005
【図４】
2011215867.tif 000006
【図５】
2011215867.tif 000007
【図６】
2011215867.tif 000008
【図７】
2011215867.tif 000009
【図８】
2011215867.tif 000010
【図９】
2011215867.tif 000011
【図１０】
2011215867.tif 000012
【図１１】
2011215867.tif 000013
【図１２】
2011215867.tif 000014
【図１３】
2011215867.tif 000015